(57)【要約】【課題】部品点数を増加させずに器具本体に対して灯体を回動させる際の適度な操作感が得られ、かつ灯体の光照射角度の自由度をより向上させることが可能な照明器具を提供する。【解決手段】照明器具１は、一部が開口している断面略Ｃ字状の本体部３と、孔部４ａを有し、本体部３の開口３ａに設けられる板体４とを備える器具本体２と、器具本体２に収容され、一部が板体４の孔部４ａから露出し、器具本体２に対して回動可能であり、ＬＥＤ５ｃを有する略球状の灯体５と、器具本体２における本体部３の開口３ａと対向する内周面に本体部３と一体的にかつ本体部３の軸方向に沿って設けられ、灯体５に当接して灯体５を板体４の孔部４ａの縁部に押し付ける突起３ｄと、器具本体２を挟み込むように器具本体２の両端部２ａに設けられ、灯体５が収容された器具本体２を回動可能に支持する端板７とを備えている。【選択図】図１
2007141642.tif 000002
【特許請求の範囲】
【請求項１】
一部が開口している断面略Ｃ字状の本体部と、孔部を有し、本体部の開口に設けられる板体とを備える器具本体と；
器具本体に収容され、一部が板体の孔部から露出し、器具本体に対して回動可能であり、光源を有する略球状の灯体と；
器具本体における本体部の開口と対向する内周面に本体部と一体的にかつ本体部の軸方向に沿って設けられ、灯体に当接して灯体を板体の孔部の縁部に押し付ける突起と；
器具本体を挟み込むように器具本体の両端部に設けられ、灯体が収容された器具本体を回動可能に支持する端板と；
を具備することを特徴とする照明器具。
【請求項２】
端板は、器具本体の突起が当接して器具本体の回動範囲を規制する位置規制部を備えていることを特徴とする請求項１記載の照明器具。
【請求項３】
照明器具は取付箇所に埋め込まれ、器具本体の一部は取付箇所における照明器具が取付けられる取付面から突出することを特徴とする請求項１又は２記載の照明器具。
【発明の詳細な説明】
【技術分野】
【０００１】
本発明は、例えば棚下等に設置される照明器具に関する。
【背景技術】
【０００２】
近年、発光ダイオード（以下、「ＬＥＤ」と称する。）の高性能化により、棚下等の用途に耐えうるＬＥＤが開発されてきており、ＬＥＤを用いた照明器具が提案されている。
【０００３】
ＬＥＤを用いた照明器具としては、例えば、ＬＥＤを備えた略球形の灯体を回動可能に器具本体に保持して、灯体の光照射方向を可変自在とした照明器具が開示されている（例えば特許文献１参照）。この技術においては、板ばねを使用して、灯体を器具本体に押え付けて、器具本体に対して灯体を回動させる際に適度な操作感を得ている。
【特許文献１】特開２００５−１４９７９０号
【発明の開示】
【発明が解決しようとする課題】
【０００４】
しかしながら、上記技術においては、灯体を回動させる際の適度な操作感を得る機構として、板ばねを使用しているので、器具本体に灯体を複数収容した場合には、それぞれの灯体に対して板ばねを設ける必要があり、また板ばねを外郭で覆う必要があるため、部品点数が増加してしまうという問題がある。
【０００５】
一方、上記技術においても、灯体は回動可能となっているので、光照射角度の自由度はある程度あるが、現在、様々な取付箇所に対応させるために、更なる光照射角度の自由度の向上が求められている。
【０００６】
本発明は、上記問題を解決するためになされたものである。即ち、部品点数を増加させずに器具本体に対して灯体を回動させる際の適度な操作感が得られ、かつ灯体の光照射角度の自由度を向上させることが可能な照明器具を提供することを目的とする。
【課題を解決するための手段】
【０００７】
請求項１記載の発明は、一部が開口している断面略Ｃ字状の本体部と、孔部を有し、本体部の開口に設けられる板体とを備える器具本体と；器具本体に収容され、一部が板体の孔部から露出し、器具本体に対して回動可能であり、光源を有する略球状の灯体と；器具本体における本体部の開口と対向する内周面に本体部と一体的にかつ本体部の軸方向に沿って設けられ、灯体に当接して灯体を板体の孔部の縁部に押し付ける突起と；器具本体を挟み込むように器具本体の両端部に設けられ、灯体が収容された器具本体を回動可能に支持する端板と；を具備することを特徴とする照明器具である。
【０００８】
板体の孔部の形状は、特に限定されないが、略円状であることが望ましい。また、この場合、孔部の直径は、灯体の直径よりも小さいことが望ましい。
【０００９】
灯体は、略球状となっているが、本発明でいう「略球状」とは、球のみならず、球に近似した形状をも含む概念である。球に近似した形状としては、主に、外縁が円弧状となっている部分から構成されている形状である。このような形状としては、例えば、球の一部が平坦となっている形状等が挙げられる。
【００１０】
灯体は、器具本体に対してあらゆる方向に回動可能となっている。また、灯体の光源としては、例えば発光ダイオード（ＬＥＤ）等が挙げられる。
【００１１】
灯体の外周面には、本体部の内周面に当接して、灯体の回動範囲を規制する凸部が形成されていることが好ましい。このような凸部を備えることにより、灯体は灯体の凸部が本体部の内周面に当接する位置までは回動するが、灯体の凸部が本体部の内周面に当接した位置においてはこの当接により器具本体に対する灯体の回動が妨げられるので、これ以上、灯体は器具本体に対して回動しない。これにより、器具本体に対する灯体の過度の回動を抑制することができる。
【００１２】
突起は、灯体に当接して灯体を板体の孔部の縁部に押し付けられるが、例えば、板体の配置箇所の幅が実際の板体の幅よりも小さい本体部を作製して、この本体部の板体の配置箇所に板体を配置することにより、突起を灯体に当接させて灯体を板体の孔部の縁部に押し付けることができる。詳細に説明すると、このような本体部を作製して、本体部の板体の配置箇所に板体を配置すると、本体部が板体の幅方向に引張られるので、突起が板体に近づく。これにより、突起を灯体に当接させて灯体を板体の孔部の縁部に押し付けることができる。
【００１３】
端板と器具本体との結合関係は、端板に対して器具本体が回動可能であれば、特に限定されない。また、器具本体は、器具本体の軸を中心として端板に対して回動可能となっている。
【００１４】
請求項１記載の発明においては、突起が、本体部における本体部の開口と対向する内周面に本体部と一体的にかつ本体部の軸方向に沿って設けられ、灯体に当接して灯体を板体の孔部の縁部に押し付けるので、部品点数を増加させずに器具本体に対して灯体を回動させる際の適度な操作感を得ることができる。また、端板が器具本体を回動可能に支持しているので、灯体のみならず器具本体をも回動させることができる。
【００１５】
請求項２記載の発明は、端板が、器具本体の突起が当接して器具本体の回動範囲を規制する位置規制部を備えていることを特徴とする請求項１記載の照明器具。請求項２記載の発明においては、端板には位置規制部が形成されているので、器具本体を端板に対して回動させると、器具本体は端板の位置規制部が形成されている位置までは回動するが、端板の位置規制部が形成されている位置においては器具本体の突起が端板の位置規制部に当接するので、端板に対する器具本体の回動が妨げられる。
【００１６】
請求項３記載の発明は、照明器具が取付箇所に埋め込まれ、器具本体の一部が取付箇所における照明器具が取付けられる取付面から突出することを特徴とする請求項１又は２記載の照明器具である。請求項３記載の発明においては、取付面から器具本体の一部を突出させることにより、器具本体の一部を露出させた分、照明器具の埋め込み深さを浅くすることができる。
【発明の効果】
【００１７】
請求項１記載の発明によれば、部品点数を増加させずに器具本体に対して灯体を回動させる際の適度な操作感を得ることができる。また、灯体における光照射角度の自由度を向上させることができる。請求項２記載の発明によれば、端板に対する器具本体の過度の回動を抑制することができる。請求項３記載の発明によれば、埋め込み深さが深く取れない取付箇所においても、照明器具を取付けることができる。
【発明を実施するための最良の形態】
【００１８】
以下、図面を参照しながら実施の形態について説明する。図１は本実施の形態に係る照明器具の模式的な斜視図であり、図２は本実施の形態に係る照明器具の短手方向の模式的な縦断面図であり、図３は本実施の形態に係る器具本体の模式的な正面図である。図４（ａ）は本実施の形態に係る端板の模式的な正面図であり、図４（ｂ）は本実施の形態に係る端板の模式的な縦断面図であり、図５（ａ）は本実施の形態に係る灯体を器具本体に対して回動させたときの模式図であり、図５（ｂ）は本実施の形態に係る器具本体を端板に対して回動させたときの模式図である。
【００１９】
図１〜図４（ｂ）に示されるように、照明器具１は、器具本体２を備えている。器具本体２は、軸方向に沿って形成された開口３ａを有する断面略Ｃ字状の本体部３と、複数の孔部４ａを有し、本体部３の開口３ａに設けられた板体４とから構成されている。孔部４ａは略円状となっており、本体部３の軸方向に一列に形成されている。
【００２０】
本体部３における開口縁部３ｂには、本体部３の内側に突出し、かつ本体部３の軸方向に沿って爪部３ｃが形成されている。また、本体部３の内周面には、板体４と対向する位置に本体部３の軸方向に沿って突起３ｄが本体部３と一体的に形成されている。
【００２１】
板体４は、長さが本体部３の軸方向の長さとほぼ等しくなっている。板体４は、爪部３ｃに支持されており、これにより開口３ａを本体部３の内側から塞いでいる。
【００２２】
器具本体２内には、後述するＬＥＤ５ｃを有する略球状の複数の灯体５が収容されている。灯体５の直径は孔部４ａの直径よりも大きくなっており、灯体５の一部は孔部４ａから露出している。
【００２３】
灯体５は突起３ｄの当接により孔部４ａの開口縁部に押し付けられているが、灯体５は器具本体２に固着されていない。これにより、灯体５の露出した部分を人手等により動かすことで図５（ａ）に示されるように灯体５を器具本体２に対して回動させることができる。灯体５は、器具本体２に対してあらゆる方向に回動可能となっている。
【００２４】
ここで、本体部３における板体４の配置箇所の幅は、板体４を配置する前においては板体４の幅より小さくなっている。このため、本体部３に板体４を配置すると、本体部３が多少板体４の幅方向に引張られる。この結果、突起３ｄの位置が板体４に近づくので、突起４が灯体５に当接して灯体５を開口４ａの開口縁部に押し付けることができる。これにより、灯体５を器具本体２に対して回動させる際の適度な操作感が得られ、灯体５が少しの衝撃等により回動することが抑制される。
【００２５】
灯体５の外周面には、凸部５ａが形成されている。ここで、灯体５の中心は本体部３の中心より突起３ｄ側に位置しているので、図２に示されるように灯体５と本体部３との隙間は突起３ｄに向かうにつれて狭くなっている。このような状態においては、灯体５を器具本体２に対して回動させていくと、灯体５は凸部５ａが本体部３の内周面に当接する位置までは回動するが、凸部５ａが本体部３の内周面に当接した位置においては図５（ａ）に示されるようにこの当接により器具本体２に対する灯体５の回動が妨げられるので、これ以上、灯体５は器具本体２に対して回動しない。これにより、器具本体２に対する灯体５の過度の回動を抑制することができる。
【００２６】
灯体５は、開口５ｂ１を有する略球形の灯体本体５ｂと、灯体本体５ｂ内に配置された光源としてのＬＥＤ５ｃと、灯体本体５ｂ内に配置されたレンズ５ｄとを備えている。ＬＥＤ５ｃから発せられた光はレンズ５ｄ及び開口５ｂ１を介して外部に照射される。なお、灯体５同士は、リード線６により電気的に接続されている。
【００２７】
器具本体２の両方の端部２ａには、器具本体２を回動可能に支持する端板７が設けられている。端板７には、内径がほぼ端部２ａの外径と同じ孔７ａが形成されており、端板７の孔７ａと器具本体２の端部２ａとが嵌合することにより端板７は器具本体２を挟み込んでいる。これにより、図５（ｂ）に示されるように器具本体２を端板７に対して回動させることができる。なお、器具本体２は、器具本体２の軸を中心として端板７に対して回動可能となっている。
【００２８】
端板７の内面には、少なくとも一部が器具本体２内に位置し、かつ突起３ｄが当接して器具本体２の回動範囲を規制する位置規制部７ｂが形成されている。具体的には、位置規制部７ｂは、端板７の孔７ａと器具本体２の端部２ａとを嵌合させた状態において、器具本体２の内周面付近の位置に配置されるように形成されている。ここで、器具本体２を端板７に対して回動させていくと、器具本体２は端板７の位置規制部７ｂが形成されている位置までは回動するが、端板７の位置規制部７ｂが形成されている位置においては図５（ｂ）に示されるように突起３ｄが位置規制部７ｂに当接して、端板７に対する器具本体２の回動が妨げられるので、これ以上、器具本体２は端板７に対して回動しない。これにより、端板７に対する器具本体２の過度の回動を抑制することができる。
【００２９】
灯体５を収容し、かつ端板７が取付けられた器具本体２は、周囲を平板状の枠体８により取り囲まれており、枠体８の開口縁部８ａには端板７が固定されている。枠体８はネジ孔８ｂを備えている。
【００３０】
このような照明器具１は、例えば天井面等の取付箇所に埋め込まれて使用される。図６（ａ）は本実施の形態に係る取付箇所に埋め込んだ状態における照明器具の短手方向の模式的な縦断面図であり、図６（ｂ）は本実施の形態に係る取付箇所に埋め込んだ状態における照明器具の長手方向の模式的な縦断面図である。
【００３１】
図６（ａ）及び図６（ｂ）に示されるように、照明器具１は、照明器具１を取付箇所に埋め込んだ状態で、枠体８のネジ孔８ｂを介しネジ９を取付面Ａに取付けることにより、取付箇所に取付けられる。本体部３における両方の開口縁部３ｂは、取付面Ａから露出している。なお、照明器具１を取付面Ａに取付ける手段としては、ネジ９に限られない。
【００３２】
本実施の形態によれば、器具本体２における本体部３の開口３ａと対向する内周面に本体部３と一体的に、かつ本体部３の軸方向に沿って形成された突起３ｄを設けて、灯体５を回動させる際の適度な操作感が得られるようにしているので、灯体５毎に適度な操作感を得るための部品を必要しない。これにより、部品点数を増加させずに器具本体２に対して灯体５を回動させる際の適度な操作感を得ることができる。
【００３３】
本実施の形態によれば、灯体５が器具本体２に対して回動可能となっているだけでなく、器具本体２が端板７に対して回動可能となっているので、灯体５における光照射角度の自由度を向上させることができる。なお、この照明器具１は光照射角度の自由度を向上させることができるので、照明器具１を例えば棚下に設置した場合には、棚の奥行き方向に灯体のみならず器具本体２を回動させることができる。これにより、より棚の奥行き方向に光を照射させることができるので、顧客が棚に陳列された商品を目視する際にＬＥＤを直視して、まぶしさにより不快感が生じること（グレア）を解消することができる。
【００３４】
灯体の光源としてＬＥＤを使用すると、ＬＥＤは指向性が強いので、ＬＥＤの光を拡散させるためのレンズを灯体に組み込む必要がある。このため、照明器具の厚さが厚くなるので、取付箇所に照明器具全体を埋め込むと、取付箇所における埋め込み深さを深く取る必要がある。これに対し、本実施の形態によれば、器具本体２の一部、具体的には本体部３における両方の開口縁部３ｂを取付面Ａから露出させているので、取付面Ａに対し、本体部３の開口縁部３ｂを露出させた分、照明器具１の埋め込み深さを浅くすることができる。これにより、取付箇所において埋め込み深さが深く取れない箇所においても、照明器具１を取付けることができる。
【００３５】
また、取付箇所に照明器具全体を埋め込む場合においては、器具本体を回動させると、灯体の光が取付箇所の内面や枠体により遮られるおそれがあるため、器具本体の回動が実質的に制限されてしまう。これに対し、本実施の形態によれば、本体部３における両方の開口縁部３ｂを取付面Ａから露出させているので、器具本体２の回動範囲を拡大させることができる。これにより、灯体５における光照射角度の自由度をより向上させることができる。
【００３６】
なお、本発明は上記実施の形態の記載内容に限定されるものではなく、構造や材質、各部材の配置等は、本発明の要旨を逸脱しない範囲で適宜変更可能である。
【図面の簡単な説明】
【００３７】
【図１】図１は実施の形態に係る照明器具の模式的な斜視図である。
【図２】図２は実施の形態に係る照明器具の短手方向の模式的な縦断面図である。
【図３】図３は実施の形態に係る器具本体の模式的な正面図である。
【図４】図４（ａ）は実施の形態に係る端板の模式的な正面図であり、図４（ｂ）は実施の形態に係る端板の模式的な縦断面図である。
【図５】図５（ａ）は実施の形態に係る灯体を器具本体に対して回動させたときの模式図であり、図５（ｂ）は実施の形態に係る器具本体を端板に対して回動させたときの模式図である。
【図６】図６（ａ）は実施の形態に係る取付箇所に埋め込んだ状態における照明器具の短手方向の模式的な縦断面図であり、図６（ｂ）は実施の形態に係る取付箇所に埋め込んだ状態における照明器具の長手方向の模式的な縦断面図である。
【符号の説明】
【００３８】
１…照明器具、２…器具本体、２ａ…端部、３…本体部、３ａ…開口、３ｄ…突起、４…板体、４ａ…孔部、５…灯体、５ａ…凸部、５ｃ…発光ダイオード、７…端板、７ｂ…位置規制部。
【図１】
2007141642.tif 000003
【図２】
2007141642.tif 000004
【図３】
2007141642.tif 000005
【図４】
2007141642.tif 000006
【図５】
2007141642.tif 000007
【図６】
2007141642.tif 000008